【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
基台と、
前記基台上で透明板および天板により囲まれたプレー空間と、
前記天板の下方に敷設された案内レールに支持され、前記プレー空間内を前記案内レールに沿って走行制御機構の駆動により走行する走行架台と、
前記走行架台の下端に設けられた伸縮昇降機構と、
前記伸縮昇降機構の下端に設けられ、前記伸縮昇降機構による伸縮動作に対応して昇降し、前記プレー空間内に配置される景品を、掴持モータの駆動により掴む掴持装置と、
前記プレー空間に配設され、前記掴持装置により掴まれた景品を投入する景品投入筒と、
前記景品投入筒に連通して設けられ、前記景品投入筒に投入された景品を取り出す景品取り出し口と、
景品取得に成功したことを検出する景品取得成功センサと、
景品取得ゲーム装置の外面に設けられ、景品取得の状況を表示する表示装置と、
プレイヤが操作する操作スイッチと、
前記操作スイッチからの操作信号を受信して、前記走行制御機構に動作信号を送信して前記走行架台を走行させ、前記伸縮昇降機構に動作信号を送信して前記掴持装置を昇降させ、前記掴持モータに動作信号を送信して前記掴持装置に景品を掴持する動作を実行させる制御手段と、
を有し、
前記制御手段は、さらに、
前記景品取得成功センサからの景品取得成功信号を受信して、
前記表示装置に景品取得の状況を表示する制御を行う
ことを特徴とする景品取得ゲーム装置。
【請求項２】
プレイヤがコインを投入するコイン投入口と、
前記コイン投入口から投入されたことを検出するコイン投入検出スイッチと、
を有し、
前記制御手段は、
前記コイン投入検出スイッチからの検出信号を受信して、
前記表示装置に景品取得状況の表示を開始させる制御を行う
ことを特徴とする請求項１に記載の景品取得ゲーム装置。
【請求項３】
プレイヤがコインを投入するコイン投入口と、
前記コイン投入口から投入されたことを検出するコイン投入検出スイッチと、
を有し、
前記表示装置は、
前記透明板の上方に配設されており、
ゲーム開始からの経過時間を表示する時間表示部と
を有し、
前記制御手段は、
前記コイン投入検出スイッチからの検出信号を受信して、
前記時間表示部にゲーム開始からの経過時間の表示を開始させる制御を行う
ことを特徴とする請求項１に記載の景品取得ゲーム装置。
【請求項４】
前記表示装置は、
楽曲を再生する音再生装置を、
さらに有し、
前記時計表示部は、
長針表示プレートと、
短針表示プレートと、
前記長針表示プレートを回転駆動させる長針駆動モータと、
前記短針表示プレートを回転駆動させる短針駆動モータ
を備え、
前記制御手段は、
前記景品取得成功センサからの景品取得成功信号を受信して、
前記音再生装置へ演奏開始信号を送信して楽曲を再生させるとともに、
前記時間表示部に表示されるゲーム開始からの経過時間の表示を解除し、前記音再生装置により演奏される楽曲に合わせて前記長針表示プレートおよび短針表示プレートが回動するように前記長針駆動モータおよび前記短針駆動モータを制御する
ことを特徴とする請求項３に記載の景品取得ゲーム装置。
【請求項５】
前記表示装置は、
楽曲を再生する音再生装置と、
鐘の形状をなし、鐘の音がでない複数の鐘部材と、
各鐘部材を動作させる鐘駆動装置と、
を有し、
前記制御手段は、
前記景品取得成功センサからの景品取得成功信号を受信して、
前記音再生装置へ演奏開始信号を送信して、鐘の音からなる楽曲を再生させるとともに、
前記鐘駆動装置に制御信号を送信して、前記鐘部材のそれぞれを、前記音再生装置により演奏される楽曲に合わせて動作するように制御する
ことを特徴とする請求項１ないし請求項４にいずれか記載の景品取得ゲーム装置。
【手続補正２】
【補正対象書類名】明細書
【補正対象項目名】０００１
【補正方法】変更
【補正の内容】
【０００１】
【発明の属する技術分野】
本出願発明は、プレイヤーが景品取り出し操作手段を操作して、筐体内の景品を景品取り出し収納部へ搬出する際の景品取得状況を表示する景品取得状況表示装置を備えた景品取得ゲーム装置に関するものである。
【手続補正３】
【補正対象書類名】明細書
【補正対象項目名】０００４
【補正方法】変更
【補正の内容】
【０００４】
【課題を解決するための手段および効果】
本出願発明は、このような不具合を解消した景品取得ゲーム装置の改良に係り、請求項１記載の発明は、基台と、前記基台上で透明板および天板により囲まれたプレー空間と、前記天板の下方に敷設された案内レールに支持され、前記プレー空間内を前記案内レールに沿って走行制御機構の駆動により走行する走行架台と、前記走行架台の下端に設けられた伸縮昇降機構と、前記伸縮昇降機構の下端に設けられ、前記伸縮昇降機構による伸縮動作に対応して昇降し、前記プレー空間内に配置される景品を、掴持モータの駆動により掴む掴持装置と、前記プレー空間に配設され、前記掴持装置により掴まれた景品を投入する景品投入筒と、前記景品投入筒に連通して設けられ、前記景品投入筒に投入された景品を取り出す景品取り出し口と、景品取得に成功したことを検出する景品取得成功センサと、景品取得ゲーム装置の外面に設けられ、景品取得の状況を表示する表示装置と、プレイヤが操作する操作スイッチと、前記操作スイッチからの操作信号を受信して、前記走行制御機構に動作信号を送信して前記走行架台を走行させ、前記伸縮昇降機構に動作信号を送信して前記掴持装置を昇降させ、前記掴持モータに動作信号を送信して前記掴持装置に景品を掴持する動作を実行させる制御手段と、を有し、前記制御手段は、さらに、前記景品取得成功センサからの景品取得成功信号を受信して、前記表示装置に景品取得の状況を表示する制御を行うことを特徴とするものである。
【手続補正４】
【補正対象書類名】明細書
【補正対象項目名】０００５
【補正方法】変更
【補正の内容】
【０００５】
請求項１記載のように発明は、前述したように構成されているので、プレイヤが操作スイッチを適宜操作することにより、走行架台、伸縮昇降装置および掴持装置を適切に動作させ、基台上で透明板および天板により囲まれたプレー空間内の景品を前記掴持装置に掴持させ、景品投入筒に投入して、景品取得に成功すれば、景品取得ゲーム装置の外面に設けられた表示装置に景品取得の成功を表示することができ、プレイヤのみならず、景品取得ゲーム装置の付近に居る傍観者にも景品取得が成功したことを知らせることができる。
【手続補正５】
【補正対象書類名】明細書
【補正対象項目名】０００６
【補正方法】変更
【補正の内容】
【０００６】
また、請求項２記載のように発明を構成することにより、コイン投入口にコインを投入した後、景品取得の状況を表示することができる。
【手続補正６】
【補正対象書類名】明細書
【補正対象項目名】０００７
【補正方法】変更
【補正の内容】
【０００７】
さらに、請求項３記載のように発明を構成することにより、プレイヤがコイン投入口に投入した時からの経過時間を時間表示部により知ることができ、プレイヤは所定時間内に景品の取得操作を完了するように、景品取得ゲーム装置を操作し、景品の取得成功率を向上させることができる。
【手続補正７】
【補正対象書類名】明細書
【補正対象項目名】０００８
【補正方法】変更
【補正の内容】
【０００８】
さらにまた、請求項４記載のように発明を構成することにより、景品取得が成功した場合、音再生装置を動作させ、楽曲を再生させるとともに、時間表示部に表示されるゲーム開始からの経過時間の表示を解除し、前記音再生装置により演奏される楽曲に合わせて、前記長針表示プレートおよび短針表示プレートを回動させ、興趣を高めることができる。
【手続補正８】
【補正対象書類名】明細書
【補正対象項目名】０００９
【補正方法】変更
【補正の内容】
【０００９】
また、請求項５記載のように発明を構成することにより、景品取得成功時に、鐘の音からなる楽曲を再生させることができるとともに、前記音再生装置により演奏される楽曲に合わせて、鐘の音の出ない複数の鐘部材を動作させ、曲に合わせて所要の音階の鐘を傾け、あたかも鐘を楽器とした曲が演奏されたかのような印象を、プレイヤや傍観者に与えることができる。
【手続補正９】
【補正対象書類名】明細書
【補正対象項目名】００１０
【補正方法】変更
【補正の内容】
【００１０】
しかも、実際に鐘を鳴していないため、音の出る鐘を用意する必要がなく、かつ、曲に合わせて正確に鐘を傾動動作させる必要がないので、従来市販の音再生装置を用いることができる結果、大巾なコストダウンが可能となる。
【手続補正１０】
【補正対象書類名】明細書
【補正対象項目名】００３１
【補正方法】変更
【補正の内容】
【００３１】
この一連の動作で、景品を景品投入筒15内に投入することに成功すると、景品取得成功センサ50が動作し、テープレコーダアンプ44が動作して、所定の曲を演奏するとともに、鐘駆動装置56が動作して、前記演奏曲を鐘18でもって演奏するかのように、鐘18を所定のリズムとタイミングで次々と傾け、しかも点滅ランプ58が一方から他方に向って次々と点滅して光が流れるように表示する。
【手続補正１１】
【補正対象書類名】明細書
【補正対象項目名】００３３
【補正方法】変更
【補正の内容】
【００３３】
また、この時に、時計式表示装置19では、その曲のリズムに合せて、主制御装置43の制御でもって、短針表示プレート38，長針表示プレート39上の短針38ａおよび長針39ａ（図１参照）が左右に振れ、より一層興趣を盛り上げることができる。